(57)【要約】【課題】電気部品カバーを外部からの接触に対して離脱され難くすることができる電気接続箱を提供すること。【解決手段】複数の電気部品１１０が収容される電気部品収容部２０が設けられてなる箱本体部１０と、前記電気部品収容部２０に形成された開口２０ａを覆い、かつスライド移動によって前記箱本体部１０ａに対して着脱される電気部品カバー３０とを有してなる電気接続箱１において、前記電気部品カバー３０の上面３１ｂを形成する天井壁３１の離脱するスライド方向前側の縁３１ａからスライド方向に突出されてなる取手部４０と、前記電気部品カバー３０が前記箱本体部１０に取り付けられた場合、前記取手部４０と前記箱本体部１０とを係合し、かつ前記取手部４０を上方に向けて引っ張り上げられることによって、前記電気部品カバー３０が離脱するスライド方向に移動可能に前記取手部４０と前記箱本体部１０との係合が解除されるカバーロック部５０とを有してなる。【選択図】図１
2013150504.tif 000002
【特許請求の範囲】
【請求項１】
複数の電気部品が収容される電気部品収容部が設けられてなる箱本体部と、前記電気部品収容部に形成された開口を覆い、かつスライド移動によって前記箱本体部に対して着脱される電気部品カバーとを有してなる電気接続箱において、
前記電気部品カバーの上面を形成する天井壁の離脱するスライド方向前側の縁からスライド方向に突出されてなる取手部と、
前記電気部品カバーが前記箱本体部に取り付けられた場合、前記取手部と前記箱本体部とを係合し、かつ前記取手部を上方に向けて引っ張り上げられることによって、前記電気部品カバーが離脱するスライド方向に移動可能に前記取手部と前記箱本体部との係合が解除されるカバーロック部と、
を有してなることを特徴とする電気接続箱。
【請求項２】
前記取手部は、
前記天井壁の上面に比して低く配置されてなることを特徴とする請求項１に記載の電気接続箱。
【請求項３】
前記取手部は、
該取手部の突出端が上方に向けて屈曲されてなることを特徴とする請求項１または２に記載の電気接続箱。
【請求項４】
前記天井壁は、
前記上面が一様な平面をなしていることを特徴とする請求項１、２、または３に記載の電気接続箱。
【発明の詳細な説明】
【技術分野】
【０００１】
本発明は、複数の電気部品が収容される電気部品収容部の開口が電気部品カバーによって覆われてなる電気接続箱に関する。
【背景技術】
【０００２】
従来、各種電気系統に接続される電気部品が集約して収納される電気接続箱は、ヒューズ等の電気部品が収容される電気部品収容部と、電気部品収容部の開口を塞ぐための電気部品カバーとを有してなる。このような電気接続箱は、電気部品カバーの離脱が容易に行えるように、図９（ａ）に示すように、電気部品カバー２２０の外表面２２０ａに取手部２２１が突設されている。作業者は、電気部品収容部２１０から電気部品カバー１２０を離脱させる場合、この取手部２２１を摘まんで電気部品カバー２２０を取り外す。
【０００３】
ところで、車両に搭載される電気接続箱は、設置場所が限られるため、乗員の足元付近に配置される場合がある。このような場合、突設された取手部を有する電気部品カバーでは、図９（ｂ）に示すように、乗員の足に取手部が引っ掛かることによって外力が作用し易くなり、結果的に電気部品カバーが離脱するおそれがある。
【０００４】
このような問題を解消するため、電気部品カバーを離脱させるための移動方向が限定されるスライド移動方式の電気部品カバーを有してなる電気接続箱が提案されている（例えば、特許文献１参照）。
【０００５】
特許文献１に記載の電気接続箱は、電気部品の装着部を設け、この装着部を蓋体で覆うようにした電気接続箱において、接続箱本体の装着部の近傍に、蓋体の取付部をスライド自在に保持する保持部を設け、この保持部に蓋体をスライドさせて装着部を覆うようにしている。
【先行技術文献】
【特許文献】
【０００６】
【特許文献１】特開２００２−１９９５４９号公報
【発明の概要】
【発明が解決しようとする課題】
【０００７】
しかしながら、特許文献１に記載の電気接続箱は、電気部品カバーの上面に突設された取手部を有してなるので、取手部に乗員の足が引っ掛かり、かつ電気部品カバーがスライド方向に移動される力が作用した場合、電気部品カバーが離脱されるおそれがあった。
【０００８】
本発明は、上記に鑑みてなされたものであって、電気部品カバーを外部からの接触に対して離脱され難くすることができる電気接続箱を提供することを目的とする。
【課題を解決するための手段】
【０００９】
上述した課題を解決し、目的を達成するために、本発明の請求項１に係る電気接続箱は、複数の電気部品が収容される電気部品収容部が設けられてなる箱本体部と、前記電気部品収容部に形成された開口を覆い、かつスライド移動によって前記箱本体部に対して着脱される電気部品カバーとを有してなる電気接続箱において、前記電気部品カバーの上面を形成する天井壁の離脱するスライド方向前側の縁からスライド方向に突出されてなる取手部と、前記電気部品カバーが前記箱本体部に取り付けられた場合、前記取手部と前記箱本体部とを係合し、かつ前記取手部を上方に向けて引っ張り上げられることによって、前記電気部品カバーが離脱するスライド方向に移動可能に前記取手部と前記箱本体部との係合が解除されるカバーロック部と、を有してなることを特徴とする。
【００１０】
また、本発明の請求項２に係る電気接続箱は、前記取手部は、前記天井壁の上面に比して低く配置されてなることを特徴とする。
【００１１】
また、本発明の請求項３に係る電気接続箱は、前記取手部は、該取手部の突出端が上方に向けて屈曲されてなることを特徴とする。
【００１２】
また、本発明の請求項４に係る電気接続箱は、前記天井壁は、前記上面が一様な平面をなしていることを特徴とする。
【発明の効果】
【００１３】
本発明の請求項１に係る電気接続箱は、前記箱本体部から前記電気部品カバーを離脱させる場合、前記カバーロック部の係合を解除した後に、前記電気部品カバーをスライド移動させるので、２ステップの動作が必要となり、しかも、前記カバーロック部の係合を解除するために、前記取手部を上方に向けて引っ張り上げられなければならないので、前記電気部品カバーの上面への外部からの接触に対して係合が解除され難くなり、結果的に、電気部品カバーを外部からの接触に対して離脱され難くすることができる。
【００１４】
本発明の請求項２に係る電気接続箱は、乗員の足等の外部から接触されるものが前記取手部に比して高い位置の前記天井壁の上面に接触されることによって、前記取手部が足等に接触されることを防ぐようになっているので、外部からの接触に対して前記カバーロック部の係合がより解除され難くなり、結果的に、前記電気部品カバーを外部からの接触に対してより離脱され難くすることができる。
【００１５】
本発明の請求項３に係る電気接続箱は、前記取手部の前記突出端が上方に向けて屈曲されることによって摘まみやすいようになっているので、前記電気部品カバーのスライド移動操作を容易に行うことができる。
【００１６】
本発明の請求項４に係る電気接続箱は、前記天井壁の前記上面が一様な平面をなしているので、乗員の足等が接触されたとしても、引っ掛かる部分がないので、前記電気部品カバーが前記箱本体部から離脱されることを防止する効果がより高めることができる。
【図面の簡単な説明】
【００１７】
【図１】図１は、本発明の実施例に係る電気接続箱の分解斜視図である。
【図２】図２は、図１に示した電気接続箱の電気部品カバー周辺の斜視図である。
【図３】図３は、図２に示した電気接続箱のＡ―Ａ線断面図である。
【図４】図４は、図１に示した電気接続箱の取手部周辺の断面を示した要部断面図である。
【図５】図５は、図４に示した取手部周辺の要部断面図を用いて電気部品カバーに足が接触された状態を示した図である。
【図６】図６は、箱本体部から電気部品カバーを離脱させる手順を示した図である。
【図７】図７は、本発明の実施例の変形例１の電気接続箱の分解斜視図である。
【図８】図８は、本発明の実施例の変形例２の電気接続箱の分解斜視図である。
【図９】図９は、従来技術を説明するための図である。
【発明を実施するための形態】
【００１８】
以下、図面を参照して、本発明に係る電気接続箱の好適な実施例を詳細に説明する。
【実施例】
【００１９】
図１は、本発明の実施例に係る電気接続箱１の分解斜視図である。図２は、図１に示した電気接続箱１の電気部品カバー３０周辺の斜視図である。図３は、図２に示した電気接続箱１のＡ―Ａ線断面図である。図４は、図１に示した電気接続箱１の取手部４０周辺の断面を示した要部断面図である。図５は、図４に示した取手部４０周辺の要部断面図を用いて電気部品カバー３０に足Ｆが接触された状態を示した図である。
なお、便宜上、図中の互いに直交する矢印方向を前後上下方向とする。
【００２０】
本発明の実施例に係る電気接続箱１は、例えば、車両の室内に配置される。この実施例では、電気接続箱１は、電気部品としてのヒューズ１１０が収容される。
この電気接続箱１は、複数のヒューズ１１０が収容される電気部品収容部２０が設けられてなる箱本体部１０と、電気部品収容部２０に形成された開口２０ａを覆い、かつスライド移動によって箱本体部１０に対して着脱される電気部品カバー３０とを有してなる。
【００２１】
まず、箱本体部１０について説明する。
箱本体部１０は合成樹脂材からなり、電気部品収容部２０の他にコネクタハウジング１１等が設けられている。
この箱本体部１０は、取手部４０と箱本体部１０とを係合させ、電気部品カバー３０が箱本体部１０に固定されるように機能するカバーロック部５０としての係合突起部１２を有してなる。
係合突起部１２は、取手部４０の下方に位置される本体上面１０ａから突起され、取手部４０に形成された開口である係合開口部４２と係合されるようになっている。
【００２２】
次に、電気部品収容部２０について説明する。
電気部品収容部２０は、複数のヒューズ１１０が整列して配置される部分である。
各ヒューズ１１０は、電気部品収容部２０内に収容されることによって、不図示の電気回路に接続されるようになっている。
【００２３】
この電気部品収容部２０は、開口２０ａの外周縁２０ｂが箱本体部１０の本体上面１０ａから突出されてなる開口突出縁部２２と、開口突出縁部２２に形成され、電気部品カバー３０がスライド自在に嵌め合わされる収容側スライド嵌合部２３とを有してなる。
より具体的には、電気部品収容部２０は、開口突出縁部２２の横断面の外形が矩形状をなし、開口突出縁部２２の外周面２２ａのうち、スライド方向Ｄに平行な一対の平行面のそれぞれに直線状に形成された一対のスライドガイドリブ２３ａが収容側スライド嵌合部２３として設けられている。
【００２４】
次に、電気部品カバー３０について説明する。
電気部品カバー３０は、天井壁３１と、天井壁３１の縁３１ａに立設されてなる側壁３２と、側壁３２に形成され、収容側スライド嵌合部２３によって嵌め合わされるカバー側スライド嵌合部３３とを有してなる。
さらに具体的には、天井壁３１は、電気部品収容部２０の上端部突出縁部２２の横断面形状に対応して外形が矩形状をなし、かつ上面が一様な平面をなしている。
側壁３２は、スライド方向Ｄに平行な一対の側壁である平行側壁３２ａと、離脱するスライド方向Ｄ１前側の側壁３２ｂ（以下、離脱前側側壁という。）とを有してなり、一対の平行側壁３２ａのそれぞれにカバー側スライド嵌合部３３としてのスライドガイド溝３３ａが形成されている。
【００２５】
また、電気部品カバー３０は、取り付けのためのスライド方向Ｄ２前側となる天井壁３１の縁３１ａに側壁が形成されないことによって、スライドガイドリブ２３ａをスライド溝３２ａに嵌め入れるための嵌入口３４が形成されるようになっている。
【００２６】
また、電気部品カバー３０は、電気部品カバー３０の上面３１ｂを形成する天井壁３１の離脱するスライド方向前側の縁からスライド方向に突出されてなる取手部４０を有してなる。
【００２７】
取手部４０は、電気部品カバー３０が箱本体部１０から離脱されるためにスライド移動される際、作業者が摘まむための操作部である。この取手部４０は、離脱前側側壁３２ｂの下端部３２ｃからスライド方向Ｄに沿って突出され、かつ突出端４１が天井壁３１の上面３１ｂに比して低くなるようにして上方に向けて屈曲されてなる。
【００２８】
この取手部４０は、取手部４０と箱本体部１０とを係合させ、電気部品カバー３０が箱本体部１０に固定されるように機能するカバーロック部５０としての係合開口部４２を有してなる。
【００２９】
係合開口部４２は、箱本体部１０に設けられた係合突起部１２に係合されるようになっている。すなわち、係合開口部４２と係合突起部１２とが係合されることによって、電気部品カバー３０が、離脱するスライド方向に移動されないように箱本体部１０に取り付けされる。
【００３０】
このような係合突起部１２および係合開口部４２を有してなるカバーロック部５０は、電気部品カバー３０が箱本体部１０に取り付けられた場合、取手部４０と箱本体部１０とを係合し、かつ取手部４０を上方に向けて引っ張り上げられることよって、電気部品カバー３０が離脱するスライド方向に移動可能に取手部４０と箱本体部１０との係合が解除されるようになっている。
【００３１】
また、電気接続箱１は、取手部４０が天井壁３１の近傍で電気部品カバー３０の天井壁３１の上面３１ｂに比して低く位置するようになっているので、図５に示すように、乗員の足Ｆが電気部品カバー３０に接触された場合、電気部品カバー３０の天井壁３１が取手部４０よりも足Ｆに接触され易いようになっている。すなわち、突出された天井壁３１によって、乗員の足Ｆが取手部４０に接触され難いようになっている。
【００３２】
ここで、図６を用いて箱本体部１０から電気部品カバー３０を離脱させる手順について説明する。図６は、箱本体部１０から電気部品カバー３０を離脱させる手順を示した図である。
【００３３】
まず、作業者は、取手部４０の突出端４１を摘まんで取手部４０を上方に向けて引っ張り上げる（図６（ａ）参照）。これによって、係合突起部１０ｂと、係合開口部４２との係合が解除され、電気部品カバー３０が離脱するスライド方向に移動可能となる。
【００３４】
その後、作業者は、取手部４０を離脱するスライド方向Ｄ１に引っ張ることによって、箱本体部１０から電気部品カバー３０を離脱させる（図６（ｂ）参照）。この際、電気部品カバー３０は、スライドガイド溝３３ａとスライドガイドリブ２３ａとの嵌め合いによってスライド方向にガイド移動される。
また、箱本体部１０から電気部品カバー３０を離脱させる場合、係合突起部１０ｂと、係合開口部４２との係合を解除した後に、電気部品カバー３０をスライド移動させるので、２ステップの動作が必要となる。
【００３５】
本発明の実施例に係る電気接続箱１は、箱本体部１０から電気部品カバー３０を離脱させる場合、カバーロック部５０としての係合突起部１０ｂと係合開口部４２との係合を解除した後に、電気部品カバー３０をスライド移動させるので、２ステップの動作が必要となり、しかも、係合突起部１０ｂと係合開口部４２との係合を解除するために、取手部４０を上方に向けて引っ張り上げられなければならないので、電気部品カバー３０の上面３１ｂへの外部からの接触に対して係合が解除され難くなり、結果的に、電気部品カバー３０を外部からの接触に対して離脱され難くすることができる。
【００３６】
また、本発明の実施例に係る電気接続箱１は、乗員の足等の外部から接触されるものが取手部４０に比して高い位置の天井壁３１の上面３１ｂに接触されることによって、取手部４０が足等に接触されることを防ぐようになっているので、外部からの接触に対して係合突起部１０ｂと係合開口部４２との係合がより解除され難くなり、結果的に、電気部品カバー３０を外部からの接触に対してより離脱され難くすることができる。
【００３７】
また、本発明の実施例に係る電気接続箱１は、取手部４０の突出端４１が上方に向けて屈曲されることによって摘まみやすいようになっているので、電気部品カバー３０のスライド移動操作を容易に行うことができる。
【００３８】
また、本発明の実施例に係る電気接続箱１は、天井壁３１の上面３１ｂが一様な平面をなしているので、乗員の足等が接触されたとしても、引っ掛かる部分がないので、電気部品カバー３０が箱本体部１０から離脱されることを防止する効果がより高めることができる。
【００３９】
（変形例１）
次に、図７を用いて本発明の実施例に係る電気接続箱１の変形例１について説明する。図７は、本発明の実施例の変形例１の電気接続箱２の分解斜視図である。
この変形例１の電気接続箱２は、電気部品収容部２０に代わって電気部品収容部６０を有し、電気部品カバー３０に代わって、電気部品カバー７０を有してなる点で実施例の電気接続箱１と異なる。
なお、その他の構成は実施例と同様であり、実施例と同一構成部分には同一符号を付している。
【００４０】
電気部品収容部６０は、収容側スライド嵌合部６１を有してなる。この収容側スライド嵌合部６１は、開口突出縁部２２の内周面２２ｂのうち、スライド方向Ｄに平行な一対の平行面のそれぞれに直線状に形成された一対のスライドガイド溝６１ａが設けられてなる。
【００４１】
電気部品カバー７０は、カバー側スライド嵌合部７１を有してなる。このカバー側スライド嵌合部７１は、天井壁３１の縁３１ａのうち、スライド方向Ｄに沿って形成された一対の縁３１ａである。この一対の縁３１ａのそれぞれが各スライドガイド溝６１ａに嵌め合わされることによって、スライドガイド機能をなしている。なお、この電気部品カバー７０では、取手部４０が下方から上方に向けて屈曲されながら、天井壁３１の離脱するスライド方向Ｄ１前側の縁３１ａからスライド方向に突出されるようになっている。
【００４２】
このような電気接続箱２は、収容側スライド嵌合部６１とカバー側スライド嵌合部７１とが嵌め合わされることによって電気部品カバー７０がスライド自在に移動されるようになっている。
【００４３】
この変形例１の電気接続箱２は、本発明の実施例に係る電気接続箱１と同様な効果を奏することができる。
【００４４】
（変形例２）
次に、図８を用いて本発明の実施例に係る電気接続箱１の変形例２について説明する。図８は、本発明の実施例の変形例２の電気接続箱３の分解斜視図である。
この変形例２の電気接続箱３は、カバーロック部５０に代わって、カバーロック部８０を有してなる点で実施例の電気接続箱１と異なる。
なお、その他の構成は実施例あるいは変形例１と同様であり、実施例あるいは変形例１と同一構成部分には同一符号を付している。
【００４５】
カバーロック部８０は、係合開口部４２に代わって設けられた係合突部１０１と、係合突起部１２に代わって設けられた係合凹部９１と、を有してなる。
係合突部１０１は取手部４０の下面から下方に向けて突設された部分であり、係合凹部９１に嵌め込まれるようになっている。
係合凹部９１は、取手部４０の下方に位置される本体上面１０ａに形成された凹部であり、係合突部１０１が嵌め込まれるようになっている。
【００４６】
電気接続箱３は、係合突部１０１と、係合凹部９１とが係合されることによって、電気部品カバー１００が取り付け完了位置で箱本体部１０に固定され、スライド移動されないようなっている。
【００４７】
この変形例２の電気接続箱３は、箱本体部１０から電気部品カバー３０を離脱させる場合、カバーロック部８０としての係合突部１０１と係合凹部９１との係合を解除した後に、電気部品カバー１００をスライド移動させるので、２ステップの動作が必要となり、しかも、係合突部１０１と係合凹部９１との係合を解除するために、取手部４０を上方に向けて引っ張り上げられなければならないので、本発明の実施例に係る電気接続箱１と同様に、電気部品カバー１００の上面３１ｂへの外部からの接触に対して係合が解除され難くなり、結果的に、電気部品カバー１００を外部からの接触に対して離脱され難くすることができる。
【００４８】
なお、本発明の実施例に係る電気接続箱１，２，３は、電気部品としてヒューズ１１０が電気部品収容部２０，６０，９０に収容されるものを例示したが、これに限らず、その他の電気部品が電気部品収容部に収容されるものであっても構わない。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１、２、３  電気接続箱
１０        箱本体部
１０ａ      本体上面
１１        コネクタハウジング
１２        係合突起部
２０、６０、９０  電気部品収容部
２０ａ      開口
２０ｂ      外周縁
２２        開口突出縁部
２２ａ      外周面
２２ｂ      内周面
２３、６１  収容側スライド嵌合部
２３ａ      スライドガイドリブ
３０、７０、１００  電気部品カバー
３１        天井壁
３１ａ      縁
３１ｂ      上面
３２        側壁
３２ａ      平行側壁
３２ｂ      離脱前側側壁
３２ｃ      下端部
３３、７１  カバー側スライド嵌合部
３３ａ、６１ａ  スライドガイド溝
３４        嵌入口
４０        取手部
４１        突出端
４２        係合部開口部
５０、８０  カバーロック部
１０１      係合突部
９１        係合凹部
１１０      ヒューズ
Ｄ、Ｄ１、Ｄ２  スライド方向
【図１】
2013150504.tif 000003
【図２】
2013150504.tif 000004
【図３】
2013150504.tif 000005
【図４】
2013150504.tif 000006
【図５】
2013150504.tif 000007
【図６】
2013150504.tif 000008
【図７】
2013150504.tif 000009
【図８】
2013150504.tif 000010
【図９】
2013150504.tif 000011